(57)【要約】【課題】老若男女を問わず誰でもが、どこにおいても、気軽に楽しく簡単に、継続して運動でき、身体を鍛えることができる健康器具の提供。【解決手段】使用者が足に履く履物本体２４と、履物本体２４を載せる台座１０と、履物本体２４を、台座１０に連結する連結部材６６と、から健康器具１を構成し、連結部材６６の長さを、履物本体２４を履いた使用者が、履物本体２４の爪先側部分３６を台座１０に接触させたときに、履物本体２４の踵側部分４６が台座１０から離れることができる長さとするとともに、履物本体２４を履いた使用者が、履物本体２４の踵側部分４６を台座１０に接触させたときに、履物本体２４の爪先側部分３６が台座１０から離れることができる長さとする。【選択図】  図４
0003126677.tif 000002
【実用新案登録請求の範囲】
【請求項１】
拍子をとりながら足を動かす健康器具であって、
健康器具の使用者が足に履く履物本体と、当該履物本体を載せる台座と、当該履物本体を当該台座に連結する連結部材と、を備え、
前記履物本体を履いた使用者が、前記履物本体の爪先側部分を前記台座に接触させたときに、前記履物本体の踵側部分を前記台座から離すことができる長さを、前記連結部材が有するとともに、
前記履物本体を履いた使用者が、前記履物本体の踵側部分を前記台座に接触させたときに、前記履物本体の爪先側部分を前記台座から離すことができる長さを、前記連結部材が有することを特徴とする健康器具。
【請求項２】
前記連結部材は、前後方向に湾曲可能な板状部材からなり、当該板状部材の前端側部分と後端側部分のうちの一方の端側部分が、前記履物本体に接続されており、他方の端側部分が、前記台座に接続されていることを特徴とする請求項１に記載の健康器具。
【請求項３】
前記履物本体は、前記履物本体を履いた使用者の足の甲を親指側から小指側まで覆う甲皮と、当該甲皮の長さを調節可能な長さ調節部と、を有することを特徴とする請求項１又は請求項２に記載の健康器具。
【請求項４】
前記履物本体は、前記履物本体を履いた使用者が足の指の間に挟む鼻緒と、当該鼻緒に連なって使用者の足の甲にかかる横緒と、当該横緒の長さを調節可能な長さ調節部と、を有することを特徴とする請求項１又は請求項２に記載の健康器具。
【請求項５】
前記履物本体の爪先側部分及び踵側部分と、前記台座と、のうちの少なくともいずれか一方に、音を吸音可能な吸音部材が装着されていることを特徴とする請求項１から請求項４のうちのいずれかの請求項に記載の健康器具。
【考案の詳細な説明】
【技術分野】
【０００１】
本考案は、拍子をとりながら足を動かす健康器具に関する。
【背景技術】
【０００２】
健康を維持し増進することは、我々が日常生活を快適に送る上で必要不可欠なことである。そこで、健康の維持・増進を図るために、我々は様々な運動を行い、身体を鍛えている。
我々が行う運動を補助することを目的として、様々なトレーニングマシンがこれまでに提唱されている。大抵のスポーツ施設には、何らかのトレーニングマシンが設置されている。我々は、スポーツ施設へ行ってこれらのトレーニングマシンを利用し、身体を鍛えることができる。スポーツ施設に導入されている典型的なトレーニングマシンとして、いわゆるエルゴメータを挙げることができる（例えば、特許文献１を参照）。
【０００３】
エルゴメータは、ペダルが接続された負荷機構と、負荷機構の上方に設置されたサドルと、サドルの前方に設けられたハンドルを有する。エルゴメータの使用者は、ハンドルを握ってサドルに座り、自転車に乗るようにしてペダルを漕いで運動を行う。
【特許文献１】特開２０００−１２６３３０号公報
【考案の開示】
【考案が解決しようとする課題】
【０００４】
しかしながら、上記したエルゴメータは高価な機器であり、また、一定の広さの設置場所を必要とする。スポーツ施設以外の場所にエルゴメータを設置しようとしても、設置場所等の点で問題を生じ、エルゴメータを設置できないことが多い。また、エルゴメータ以外のトレーニングマシンであっても、導入費用が嵩んだり、一定の広さの設置場所が必要となるといった問題を生じることが多い。
【０００５】
このため、トレーニングマシンが設置されている場所は、スポーツ施設等の特殊な施設に限られてしまう。そして、施設の場所や施設の利用時間といった制約から、誰でも気軽にトレーニングマシンを使用できるとは限らない。
平均寿命の延びに伴い、運動を行って身体を鍛えたいと希望する高齢者の数が増えている。高齢者が運動を行う場合、自己の身体に適した運動内容を選択しなければならない。しかし、一般的なトレーニングマシンの多くは、体力のある若年層や壮年層の使用者を主な対象としており、高齢者の運動に適しているとは言えない。
【０００６】
足腰が弱って立てない人、膝が痛くて歩行に支障をきたす人、車椅子に乗っている人、寝たきりで起き上がれない人等は、適切な運動を行って普段使わない筋肉の硬化や衰えを防止しなければならない。しかし、これらの人は、健康な身体を有する人と同様の姿勢をとって運動することが困難である。したがって、一般的なトレーニングマシンがこれらの人の運動に適しているとは必ずしも言えない。
【０００７】
健康の維持・増進を目的とする運動は、長期間にわたって継続して行うことが重要である。しかし、単調な内容の運動は、飽きられやすく、このような運動を長期間継続して行うことは困難である。特に、トレーニングマシンを使用して行う運動は、一人で行う運動であったり単調な運動であったりすることが多く、飽きられやすい。
本考案は、上記問題を解決するものであり、その目的とするところは、老若男女を問わず誰でもが、どこにおいても、気軽に楽しく簡単に、継続して運動でき、身体を鍛えることができる健康器具を提供することである。
【課題を解決するための手段】
【０００８】
本考案は、その課題を解決するために以下のような構成をとる。請求項１の考案に係る健康器具は、拍子をとりながら足を動かす健康器具であって、健康器具の使用者が足に履く履物本体と、当該履物本体を載せる台座と、当該履物本体を当該台座に連結する連結部材と、を備え、前記履物本体を履いた使用者が、前記履物本体の爪先側部分を前記台座に接触させたときに、前記履物本体の踵側部分を前記台座から離すことができる長さを、前記連結部材が有するとともに、前記履物本体を履いた使用者が、前記履物本体の踵側部分を前記台座に接触させたときに、前記履物本体の爪先側部分を前記台座から離すことができる長さを、前記連結部材が有する。
【０００９】
健康器具の使用者は、健康器具の台座を床や地面等の上に置き、足に履物本体を履く。健康器具の使用者は、両足に履物本体をそれぞれ履いてもよいし、一方の片足にだけ履物本体を履いてもよい。
履物本体を履いた使用者は、音楽やリズムに合わせて足を動かし、拍子をとりながらいわゆるタップを踏む。すなわち、履物本体を履いた使用者は、足を動かして、履物本体の踵側部分を台座から浮かせて離し、同時に、履物本体の爪先側部分を台座に衝突させて、音を発生させる。また、履物本体を履いた使用者は、足を動かして、履物本体の爪先踵側部分を台座から浮かせて離し、同時に、履物本体の踵側部分を台座に衝突させて、音を発生させる。このようにして、履物本体を履いた使用者は拍子をとりながらタップを踏むことができる。
【００１０】
健康器具の使用者は、タップを踏むことにより、足腰や体幹部をはじめとして身体の様々な部位を鍛えることができ、自分の健康を維持・増進できる。また、健康器具の使用者は、自分で拍子をとりながらタップを踏むことによって、脳の働きを活性化させることができ、反射神経を鍛えることもできる。
健康器具の使用者がタップを踏んで鍛えることができる筋肉として、例えば、腓腹筋、前脛骨筋、大腿四頭筋、大腿二頭筋、大殿筋、背筋、腹筋等を挙げることができる。健康器具の使用者は、タップを踏むことにより、ここに列挙しなかった足腰の筋肉や体幹部の筋肉を鍛えることもできる。また、健康器具の使用者は、タップを踏むことによりアキレス腱の運動を行うこともできる。
【００１１】
健康器具の使用者は、立ったままタップを踏むことができるし、椅子に腰掛けてタップを踏むこともできる。また、健康器具の使用者は、寝た状態で膝を立て、足に履物本体を履き、タップを踏むことができる。すなわち、健康な身体を有している人のみならず、足腰が弱って立てない人、膝が痛くて歩行に支障をきたす人、車椅子に乗っている人、寝たきりで起き上がれない人をはじめとして、あらゆる老若男女が、この健康器具を使用してタップを踏み、身体の各所を鍛えることができる。身体を自由に動かせない人は、その不自由さに起因するストレスを感じることが多いが、この健康器具を使用してタップを踏めば、たまったストレスを発散させることができる。
【００１２】
健康器具の使用者が、座った姿勢や寝て膝を立てた姿勢をとりながらこの健康器具を使用してタップを踏めば、膝や腰に無理な負担をかけずに下肢や大腿部の筋肉や体幹部の筋肉を鍛えることができる。
寝たきりの人にとって、大殿筋、背筋、腹筋等の衰えが問題となる。寝たきりの人がこの健康器具を使用してタップを踏めば、大殿筋、背筋、腹筋等を鍛えて、これらの筋肉の衰えを防止できる。
【００１３】
健康器具の使用者は、自分の好きな音楽やリズムに合わせてタップを踏むことができるので、健康の維持・増進に必要な運動を飽きることなく楽しみながら長期間継続することができる。また、健康器具の使用者は一人でタップを踏むことができるし、グループを組んでタップを踏むこともできる。グループを組んでタップを踏めば、タップの踏み方のバリエーションが増え、より大きな楽しみを味わうことができる。
【００１４】
なお、履物本体は、従来ある靴のように足を包み込む形状であってもよいし、従来あるサンダルのように甲皮が足の甲を押さえる形状であってもよいし、下駄や草履のように足の指に引っ掛ける鼻緒と足の甲にかかる横緒とを有する形状であってもよい。
台座は、履物本体が安定して載ることができ形状であるとともに、履物本体の爪先側部分と踵側部分とがそれぞれ衝突可能に形成されていればよい。
【００１５】
この健康器具は、構造が簡単であり、場所も取らないので、健康器具の使用者は、任意の場所で、好きなときに、気軽に健康器具を使用してタップを踏んで運動を行い、身体を鍛えることができる。
履物本体や台座の材質を変えれば、履物本体と台座との衝突により発生する音も変化し、健康器具の使用者は様々な音でタップを踏むことができ、楽しみが増える。
台座の裏面に、布、ゴム、樹脂等からなる保護材を貼れば、床が台座によって傷つくことが防止される。
【００１６】
請求項２の考案に係る健康器具は、請求項１に記載の健康器具であって、前記連結部材は、前後方向に湾曲可能な板状部材からなり、当該板状部材の前端側部分と後端側部分のうちの一方の端側部分が、前記履物本体に接続されており、他方の端側部分が、前記台座に接続されている。
履物本体を履いた使用者が、足を動かしてタップを踏むと、履物本体や台座から連結部材をなす板状部材に力が働き、この板状部材が変形する。板状部材は湾曲可能であるので、板状部材に働く力は、まず、板状部材の湾曲に使われる。そして、板状部材に働く力のうち、板状部材の湾曲に使われなかった残りの力が、板状部材の湾曲以外の変形に使われる。湾曲以外の板状部材の変形とは、例えは、捩れや捻れである。ここで、板状部材の湾曲には、板状部材が撓むことに加えて、板状部材が折れ曲がることも含むものとする。
【００１７】
健康器具の使用者がタップを踏む際、履物本体や台座から連結部材に働く力の大きさは、およそ一定の大きさ以下である。そこで、連結部材をなす板状部材の材質、剛性、サイズ等を調節すれば、板状部材に働く力の全部或いは大半を、板状部材の湾曲に使いきってしまうことができ、板状部材の湾曲以外の変形をなくしたり、小さくしたりすることができる。
健康器具の使用者がタップを踏む際、連結部材をなす板状部材に生じる変形が殆ど湾曲のみとなり、板状部材の湾曲以外の変形がなくなるか或いは小さくなれば、台座の上で履物本体が幅方向へ横ぶれすることが抑制される。
【００１８】
台座の上で履物本体が幅方向へ横ぶれすることが抑制されれば、健康器具の使用者はタップを踏みやすくなる。また、健康器具の使用者が足首を捻って捻挫したりすることも防止される。
連結部材をなす板状部材は、健康器具の使用者がタップを踏む際に働く力に耐えることができる強度を有すればよく、特にその材質は限定されない。例えば、連結部材をなす板状部材は、繊維を密に編んだ帯であってもよいし、可撓性を有する金属板であってもよいし、皮製の帯であってもよい。
【００１９】
請求項３の考案に係る健康器具は、請求項１又は請求項２に記載の健康器具であって、前記履物本体は、前記履物本体を履いた使用者の足の甲を親指側から小指側まで覆う甲皮と、当該甲皮の長さを調節可能な長さ調節部と、を有する。
健康器具の使用者は、甲皮の長さを長さ調節部によって調節して、甲皮の長さを自己の足の大きさに合わせることができる。健康器具の使用者は、自己の足の大きさに合った履物本体を履くことができるので、タップを踏んでいる間、履物本体が足から脱げることが防止される。また、健康器具の使用者の足が甲皮に締め付けられて痛むことも防止される。したがって、健康器具の使用者は、タップを踏むことに集中できる。
【００２０】
例えば、甲皮を分割し、分割した甲皮同士を、面ファスナー、尾錠、フック等によって接合し、甲皮の長さを調節することができる。これらの面ファスナー、尾錠、フック等が長さ調節部となる。
なお、甲皮として従来からサンダル類の甲皮に使われている素材を特に制限されることなく使うことができる。
【００２１】
請求項４の考案に係る健康器具は、請求項１又は請求項２に記載の健康器具であって、前記履物本体は、前記履物本体を履いた使用者が足の指の間に挟む鼻緒と、当該鼻緒に連なって使用者の足の甲にかかる横緒と、当該横緒の長さを調節可能な長さ調節部と、を有する。
健康器具の使用者は、横緒の長さを長さ調節部によって調節して、横緒の長さを自己の足の大きさに合わせることができる。健康器具の使用者は、自己の足の大きさに合った履物本体を履くことができるので、タップを踏んでいる間、履物本体が足から脱げることが防止される。また、健康器具の使用者の足が横緒に締め付けられて痛むことも防止される。したがって、健康器具の使用者は、タップを踏むことに集中できる。
例えば、横緒を分割し、分割した横緒同士を、面ファスナー、尾錠、フック等によって接合し、横緒の長さを調節することができる。これらの面ファスナー、尾錠、フック等が長さ調節部となる。
【００２２】
請求項５の考案に係る健康器具は、請求項１から請求項４のうちのいずれかの請求項に記載の健康器具であって、前記履物本体の爪先側部分及び踵側部分と、前記台座と、のうちの少なくともいずれか一方に、音を吸音可能な吸音部材が装着されている。
履物本体の爪先側部分及び踵側部分に吸音部材が装着されているので、健康器具の使用者がタップを踏む際に生じる音が、小さくなり、あるいは、殆ど聞こえなくなる。したがって、健康器具の使用者は、場所や時間を気にすることなく、気軽にタップを踏むができる。台座に吸音部材を装着することによっても、健康器具の使用者がタップを踏む際に生じる音が、小さくなり、あるいは、殆ど聞こえなくなる。また、履物本体の爪先側部分及び踵側部分と、前記台座と、に吸音部材を装着してもよい。
なお、吸音部材として、例えば、フェルト、布、皮革、ゴム等を挙げることができる。
【考案の効果】
【００２３】
上記のような健康器具であるので、老若男女を問わず誰でもが、どこにおいても、気軽に楽しく簡単に、継続して運動でき、身体を鍛えることができる健康器具を提供できる。
【考案を実施するための最良の形態】
【００２４】
本考案を実施するための最良の形態を図１から図４を参照しつつ説明する。
図１は、本考案に係る健康器具の上面図、図２は、本考案に係る健康器具の底面図、図３は、図１のＩ−Ｉ線断面図、図４は、本考案に係る健康器具の側面図であり、図４（ｉ）は履物本体の踵側部分を台座の表面に接触させるとともに爪先側部分を台座の表面から離したときの健康器具の側面図、図４（ｉｉ）は履物本体の爪先側部分を台座の表面に接触させるとともに踵側部分を台座の表面から離したときの健康器具の側面図である。
【００２５】
図１から図４に示すように、健康器具１は、台座１０、履物本体２４及び連結部材６６を有する。
台座１０は、木製の長方形の板材によって形成されており、平らな表面１２を有している。台座１０の表面１２の前後の長手方向の長さＬＢは、履物本体２４の前後の長手方向の長さＬＳよりも長い。また、台座１０の表面１２の左右の幅方向の長さＷＢは、履物本体２４の左右の幅方向の長さＷＳよりも長い。
台座１０の中央には、四角形の穴１６が形成されており、穴１６が台座１０の表面１２から裏面１４まで貫通している。
台座１０の裏面１４には、フェルト１８が保護材として貼られている。
【００２６】
履物本体２４は、木製の履物台２６と甲皮５２とを有している。履物台２６は、人の足裏の形に対応した形状を有している。履物台２６の裏面３０は、爪先側部分３６と土踏まず部分４４と踵側部分４６とを有している。裏面３０の前端側に爪先側部分３６があり、裏面３０の後端側に踵側部分４６があり、爪先側部分３６と踵側部分４６との中間部分が土踏まず部分４４をなしている。
爪先側部分３６は、前端側の面３８と後端側の面４０とを有し、面３８と面４０との間には、履物本体２４の左右の幅方向に連続する稜線４２が形成されている。
【００２７】
踵側部分４６の前端側縁には窪み４８が形成されている。
履物本体２４を台座１０の表面１２の上に置くと、爪先側部分３６の稜線４２が台座１０の表面１２に接するとともに、踵側部分４６の後端側縁４７が台座１０の表面１２に接する構成となっている（図３を参照）。
甲皮５２は、甲皮５４と甲皮５６とから形成されている。甲皮５４の一端が履物台２６の右側の側面３２に鋲留めされている。甲皮５４の他端の表面側には、面テープ６０が縫い付けられている。面テープ６０は、多数の小さなループを有しており、面ファスナー５８の一部を形成している。
【００２８】
甲皮５６の一端が履物台２６の左側の側面３４上に鋲留めされている。甲皮５６の他端の裏面側には、面テープ６２が縫い付けられている。面テープ６２は多数の小さなフックを有しており、面ファスナー５８の一部を形成している。
面ファスナー５８が甲皮５２の長さ調節部をなしている。甲皮５４と甲皮５６とは、面ファスナー５８の面テープ６０と面テープ６２とを重ねてはり合わせることによって接合可能であり（図１及び図３を参照）、面テープ６０と面テープ６２との重なり具合を調節することによって、甲皮５２の長さを調節可能に構成されている。
【００２９】
連結部材６６は、前後に湾曲可能な板状部材６８からなる。板状部材６８は、繊維を密に編んで形成された布製ベルトを適切な長さに切断して形成されている。布製ベルトとして、例えば、作業用衣服のベルトを構成する布製ベルトを挙げることができる。なお、板状部材６８は、人の力を加えることによって生じる変形が主に湾曲となるような強度と剛性とを有する。
連結部材６６をなす板状部材６８の後端側部分７２が、履物台２６の裏面３０の踵側部分４６の窪み４８に螺子留めされて接続されている。また、板状部材６８の前端側部分７０が、台座１０の表面１２側から穴１６を通り、台座１０の裏面１４に螺子留めされて接続されている。
【００３０】
連結部材６６をなす板状部材６８の前端側部分７０から後端側部分７２までの長さは、履物本体２４の爪先側部分３６の稜線４２が台座１０の表面１２に接触するとき、履物本体２４の踵側部分４６が台座１０の表面１２から離れることができる長さである（図４（ｉｉ）を参照）。また、板状部材６８の前端側部分７０から後端側部分７２までの長さは、履物本体２４の踵側部分４６の後端側縁４７が台座１０の表面１２に接触するときに、履物本体２４の爪先側部分３６が台座１０の表面１２から離れることができる長さでもある（図４（ｉ）を参照）。
台座１０の表面１２にある穴１６の開口が、履物台２６の裏面３０の土踏まず部分４４と対向している。
なお、図１から図４に示した健康器具１は右足用の健康器具１である。左足用の健康器具１は、右足用の健康器具１と左右対象に構成されている。
【００３１】
次に、作用について説明する。
使用者が、左右の足にそれぞれ健康器具１の履物本体２４を履く。履物本体２４を履く際、使用者は、面テープ６０と面テープ６２との重なり具合を調節し、甲皮５２の長さを自己の足の甲の大きさに合わせる。甲皮５２の長さを調節することによって、使用者は、履物本体２４が足から脱げてしまうことを防止でき、また、履物本体２４を履いている足に痛さを感じることを防止できる。
使用者は、左右の足にそれぞれ健康器具１の履物本体２４を履いたら、両足を少し開いて楽な姿勢をとって立ちあがる。そして、使用者は、好みの音楽やリズムに合わせて足を動かし、拍子を取りながらタップを踏む。
【００３２】
すなわち、使用者は、足を動かして、履物本体２４の爪先側部分３６を台座１０の表面１２から浮かせて離し、同時に、履物本体２４の踵側部分４６の後端側縁４７を台座１０の表面１２に衝突させて、音を発生させる（図４（ｉ）を参照）。また、使用者は、履物本体２４の踵側部分４６を台座１０の表面１２から浮かせて離し、同時に、履物本体２４の爪先側部分３６の稜線４２を台座１０の表面１２に衝突させて、音を発生させる（図４（ｉｉ）を参照）。このようにして、使用者は、拍子をとりながらタップを踏むことができる。
【００３３】
使用者は、健康器具１を使用してタップを踏むことにより、足腰や体幹部をはじめとして身体の様々な部位を鍛えることができ、自分の健康を維持・増進できる。また、使用者は、拍子をとりながらタップを踏むことによって、脳の働きを活性化させることができ、反射神経を鍛えることもできる。
使用者が健康器具１を使用してタップを踏んで鍛えることができる筋肉として、例えば、腓腹筋、前脛骨筋、大腿四頭筋、大腿二頭筋、大殿筋、背筋、腹筋等を挙げることができる。また、使用者は、健康器具１を使用してタップを踏んでアキレス腱の運動を行うこともできる。
【００３４】
使用者は、健康器具１を使用して立ったままタップを踏むことができるし、椅子に腰掛けてタップを踏むこともできる。また、使用者は、寝た状態で膝を立て、足に履物本体２４を履き、タップを踏むことができる。すなわち、健康な身体を有している人のみならず、足腰が弱って立てない人、膝が痛くて歩行に支障をきたす人、車椅子に乗っている人、寝たきりで起き上がれない人をはじめとして、あらゆる老若男女が、健康器具１を使用してタップを踏み、身体の各所の筋肉を鍛えることができる。
【００３５】
身体を自由に動かせない人は、その不自由さに起因するストレスを感じることが多いが、健康器具１を使用してタップを踏めば、たまったストレスを発散させることができる。
使用者が、座った姿勢や寝て膝を立てた姿勢をとりながら健康器具１を使用し、タップを踏めば、膝や腰に無理な負担をかけることなく下肢や大腿部の筋肉や体幹部の筋肉を鍛えることができる。
【００３６】
寝たきりの人が、健康器具１を使用してタップを踏めば、大殿筋、背筋、腹筋等を鍛えることができ、これらの筋肉の衰えを防止できる。
使用者は、健康器具１を使用して自分の好きな音楽やリズムに合わせてタップを踏むことができる。したがって、使用者は、飽きることなく楽しみながら健康の維持・増進に必要な運動を長期間継続することができる。また、使用者は、一人でタップを踏むことができるし、グループを組んでタップを踏むこともできる。グループを組んでタップを踏めば、タップの踏み方のバリエーションが増え、より大きな楽しみを味わうことができる。
【００３７】
使用者が、履物本体２４を履いた足を動かしてタップを踏むと、履物本体２４や台座１０から連結部材６６をなす板状部材６８に力が働き、板状部材６８が変形する。板状部材６８の強度と剛性は、人の力によって生じる変形が主に湾曲であるような強度と剛性であり、板状部材６８の後端側部分７２が、履物台２６の裏面３０の踵側部分４６に接続され、連結部材６６の前端側部分７０が、台座１０に接続されているので、板状部材６８に働く力の大半は、板状部材６８の前後の湾曲に使われる。板状部材６８に働く力のうち、板状部材６８の前後の湾曲以外の変形に使われる力は、殆どなく、板状部材６８に生じる前後の湾曲以外の変形は非常に小さい。ここで、板状部材６８の前後の湾曲以外の変形とは、例えば、板状部材６８の捩れや捻れである。
【００３８】
使用者が健康器具１を使用してタップを踏む際、板状部材６８に生じる変形が、殆ど前後の湾曲のみであり、板状部材６８に生じる前後の湾曲以外の変形が、非常に小さいので、台座１０の上で履物本体２４が左右の幅方向へ横ぶれすることが抑制される。
台座１０の上における履物本体２４の左右の幅方向への横ぶれが抑制されるので、使用者はタップを踏みやすくなり、また、使用者が足首を捻って捻挫したりすることも防止される。
【００３９】
使用者がタップを踏む際、履物本体２４と台座１０とが衝突して音が発生するので、履物本体２４が床に衝突することはなく、履物本体２４によって床が損傷することが防止されている。
台座１０の裏面１４にはフェルト１８が保護材として貼られているので、台座１０と接触する床が損傷することが防止されている。台座１０の裏面１４にはゴム等の保護材を滑り止めとして貼れば、使用者は、滑りやすい床の上でも健康器具１を使用して安全にタップを踏むことができる。
【００４０】
履物本体２４や台座１０の材質を変えれば、履物本体２４と台座１０とが衝突して発生する音が変わり、使用者は様々な音を楽しみながらタップを踏むことができる。
台座１０の表面１２にフェルトを吸音部材として貼って装着することが可能である。台座１０の表面１２に吸音部材を装着したことにより、使用者がタップを踏む際に生じる音を小さくでき、あるいは、生じる音を消すことができ、使用者は、場所や時間を気にすることなくタップを踏むことができる。吸音部材としてのフェルトを履物台２６の履物本体２４の爪先側部分３６及び踵側部分４６に貼って装着することによっても、使用者がタップを踏む際に生じる音を小さくでき、あるいは、生じる音を消すことができる。
【図面の簡単な説明】
【００４１】
【図１】本考案に係る健康器具の上面図である。
【図２】本考案に係る健康器具の底面図である。
【図３】図１のＩ−Ｉ線断面図である。
【図４】本考案に係る健康器具の側面図であり、（ｉ）は履物本体の踵側部分を台座の表面に接触させるとともに爪先側部分を台座の表面から離したときの健康器具の側面図、（ｉｉ）は履物本体の爪先側部分を台座の表面に接触させるとともに踵側部分を台座の表面から離したときの健康器具の側面図である。
【符号の説明】
【００４２】
１    健康器具
１０    台座
１２    台座の表面
１４    台座の裏面
１６    台座の穴
１８    フェルト
２４    履物本体
２６    履物台
２８    履物台の表面
３０    履物台の裏面
３２、３４    履物台の側面
３６    爪先側部分
３８、４０    爪先側部分の面
４２    爪先側部分の稜線
４４    土踏まず部分
４６    踵側部分
４７    踵側部分の後端側縁
４８    踵側部分の窪み
５２、５４、５６    甲皮
５８    面ファスナー
６０、６２    面テープ
６６    連結部材
６８    板状部材
７０    板状部材の前端側部分
７２    板状部材の後端側部分
ＬＢ    台座の表面の前後の長手方向の長さ
ＬＳ    履物本体の前後の長手方向の長さ
ＷＢ    台座の表面の左右の幅方向の長さ
ＷＳ    履物本体の左右の幅方向の長さ
【図１】
0003126677.tif 000003
【図２】
0003126677.tif 000004
【図３】
0003126677.tif 000005
【図４】
0003126677.tif 000006